(57)【要約】【課題】照明装置の射出面が撮影装置本体の外表面の形状にほぼ一致し、かつ、外表面の曲率が大きくなっても配光特性を維持することが可能な撮影装置を提供する。【解決手段】カメラにおいて、照明装置５はＸ軸方向に延びる発光管６と、発光管からの光束を射出する射出部と、光束の一部を射出面に向けて全反射する全反射面８ｂと、を備え、光束を集光させる光学部材８とを有する。射出部は、光束を屈折させ、山形形状を有する複数の光屈折部８１を備え、各光屈折部は、対応する稜線８２を通ってＹＺ平面において照射光軸ＡＸＬよりも上側にある上部８３に複数の段差を有し、上部はカメラ本体１の外表面に対応する曲線Ｃの内側にあり、照射光軸ＡＸＬよりも上側にある曲線Ｃは、上側になればなるほど照射光軸ＡＸＬに対する垂線との傾斜角度が大きくなり、各段差は全反射面によって反射された光束を全反射しないように設定されている。【選択図】図４
2011033817.tif 000002
【特許請求の範囲】
【請求項１】
撮影装置本体と、当該撮影装置本体に設けられた照明装置と、を有する撮影装置であって、
前記照明装置は、
第１方向に延びる発光管と、
当該発光管からの光束が入射する入射面と、前記光束を射出する射出部と、前記入射面から入射した光束の一部を前記射出部に向けて全反射する全反射面と、を備え、前記光束を集光させる光学部材と、
を有し、
前記射出部は、前記光束を屈折させ、山形形状を有する複数の光屈折部を備え、
各光屈折部は、対応する山形形状の稜線を通って前記第１方向に垂直な平面において、前記発光管の中心を通って前記第１方向に直交する第２方向に延びる照射光軸よりも上側にある上部に複数の段差を有し、
前記平面において、各光屈折部の前記上部は前記撮影装置本体の外表面に対応する曲線の内側にあり、
前記平面において、前記照射光軸よりも上側にある前記曲線は、上側になればなるほど前記照射光軸に対する垂線との傾斜角度が大きくなると共に、前記全反射面からの光束の一部を全反射するほど前記垂線との傾斜角度が大きい領域を含み、
各段差は前記全反射面によって反射された光束を全反射しないように設定されていることを特徴とする撮影装置。
【請求項２】
前記複数の段差は、前記照射光軸よりも上側にある前記曲線の前記傾斜角度が前記全反射面からの光束の一部を全反射するほど大きい領域に対応する前記上部の部分に限定的に形成されていることを特徴とする請求項１に記載の撮影装置。
【請求項３】
撮影装置本体と、当該撮影装置本体に設けられた照明装置と、を有する撮影装置であって、
前記照明装置は、
第１方向に延びる発光管と、
当該発光管からの光束が入射する入射面と、前記光束を射出する射出部と、前記入射面から入射した光束の一部を前記射出部に向けて全反射する全反射面と、を備え、前記光束を集光させる光学部材と、
を有し、
前記射出部は、前記光束を屈折させ、山形形状を有する複数の光屈折部を備え、
各光屈折部の稜線は、前記第１方向に垂直な平面において、前記撮影装置本体の外表面に対応する曲線形状を有し、当該曲線形状は上側になればなるほど前記発光管の中心を通って前記第１方向に直交する第２方向に延びる照射光軸に対する垂線との傾斜角度が大きくなると共に、前記全反射面からの光束の一部を全反射するほど前記垂線との傾斜角度が大きい領域を含み、
各光屈折部の谷線と稜線との前記第２方向における距離は、前記平面において、前記照射光軸よりも上側では、上側になればなるほど小さくなるように構成されており、各光屈折部の谷線と稜線との前記第２方向における最小距離は前記全反射面によって反射された光束を全反射しないように設定されていることを特徴とする撮影装置。
【請求項４】
前記谷線と前記稜線との前記第２方向における前記距離が小さくなる部分は、前記照射光軸よりも上側にある前記曲線の前記傾斜角度が前記全反射面からの光束の一部を全反射するほど大きい領域に対応する前記上部の部分に限定的に形成されていることを特徴とする請求項３に記載の撮影装置。
【請求項５】
前記入射面は、負の屈折力を有するレンズ面で構成されていることを特徴とする請求項１〜４のうちいずれか一項に記載の撮影装置。
【発明の詳細な説明】
【技術分野】
【０００１】
本発明は、カメラなどの撮影装置に関する。
【背景技術】
【０００２】
特許文献１は、発光管、発光管から射出された光束を前方（被写体側）に導く反射傘と、フレネルレンズなどの光学部材とを有する照明装置を提案している。特許文献２は、光学部材の射出面に、照射光軸に垂直な複数の光軸直交平面を設けて、射出面を階段形状にして内部を見えにくくした照明装置を提案している。
【先行技術文献】
【特許文献】
【０００３】
【特許文献１】特開２００６−２５１３９７号公報
【特許文献２】特開２００６−１８９４８２号公報（実施例２）
【発明の概要】
【発明が解決しようとする課題】
【０００４】
しかしながら、特許文献１の照明装置は、撮影装置本体の曲率が大きくなると、光源から射出された光束のうち反射傘を介さずに直接に光学部材に入射して光学部材の側面の全反射面で反射した反射光が意図しない方向に反射されて配光特性が低下する場合がある。特許文献２では射出面が撮影装置本体の外表面の形状とは大きく異なって一部がそこから外部に突出しており、損傷しやすいなどの問題があった。
【０００５】
本発明は、照明装置の射出面が撮影装置本体の外表面の形状にほぼ一致し、かつ、外表面の曲率が大きくなっても配光特性を維持することが可能な撮影装置を提供することを例示的な目的とする。
【課題を解決するための手段】
【０００６】
本発明の一側面としての撮影装置は、撮影装置本体と、当該撮影装置本体に設けられた照明装置と、を有する撮影装置であって、前記照明装置は、第１方向に延びる発光管と、当該発光管からの光束が入射する入射面と、前記光束を射出する射出部と、前記入射面から入射した光束の一部を前記射出部に向けて全反射する全反射面と、を備え、前記光束を集光させる光学部材と、を有する。
【０００７】
前記射出部は、前記光束を屈折させ、山形形状を有する複数の光屈折部を備え、各光屈折部は、対応する山形形状の稜線を通って前記第１方向に垂直な平面において、前記発光管の中心を通って前記第１方向に直交する第２方向に延びる照射光軸よりも上側にある上部に複数の段差を有し、前記平面において、各光屈折部の前記上部は前記撮影装置本体の外表面に対応する曲線の内側にあり、前記平面において、前記照射光軸よりも上側にある前記曲線は、上側になればなるほど前記照射光軸に対する垂線との傾斜角度が大きくなると共に、前記全反射面からの光束の一部を全反射するほど前記垂線との傾斜角度が大きい領域を含み、各段差は前記全反射面によって反射された光束を全反射しないように設定されていることを特徴とする。
【０００８】
あるいは、前記射出部は、前記光束を屈折させ、山形形状を有する複数の光屈折部を備え、各光屈折部の稜線は、前記第１方向に垂直な平面において、前記撮影装置本体の外表面に対応する曲線形状を有し、当該曲線形状は上側になればなるほど前記発光管の中心を通って前記第１方向に直交する第２方向に延びる照射光軸に対する垂線との傾斜角度が大きくなると共に、前記全反射面からの光束の一部を全反射するほど前記垂線との傾斜角度が大きい領域を含み、各光屈折部の谷線と稜線との前記第２方向における距離は、前記平面において、前記照射光軸よりも上側では、上側になればなるほど小さくなるように構成されており、各光屈折部の谷線と稜線との前記第２方向における最小距離は前記全反射面によって反射された光束を全反射しないように設定されていることを特徴とする。
【発明の効果】
【０００９】
本発明は、照明装置の射出面が撮影装置本体の外表面の形状にほぼ一致し、かつ、外表面の曲率が大きくなっても配光特性を維持することが可能な撮影装置を提供することができる。
【図面の簡単な説明】
【００１０】
【図１】実施例１のカメラ（撮影装置）の斜視図である。
【図２】図１に示す照明装置の斜視図である。
【図３】図２の分解斜視図である。
【図４】図２に示す照明装置の断面図である。
【図５】図２に示す照明装置の断面図である。
【図６】図２に示す照明装置の断面図である。
【図７】図２に示す照明装置の断面図である。
【図８】図２に示す照明装置の断面図である。
【図９】図２に示す照明装置の断面図である。
【図１０】図２に示す照明装置の断面図である。
【図１１】実施例２の照明装置の斜視図である。
【図１２】図１１に示す光学部材の斜視図である。
【図１３】図１１に示す照明装置の断面図である。
【発明を実施するための形態】
【００１１】
以下、添付図面を参照して、本発明の照明装置と撮影装置について説明する。
【実施例１】
【００１２】
図１は実施例１のカメラ（撮影装置）の前方斜視図である。カメラは略直方体形状を有し、図１では、Ｘ軸をカメラの長さ方向、Ｙ軸をカメラの高さ方向、Ｚ軸をカメラの奥行き方向に設定している。
【００１３】
図１において、１はカメラ本体（撮影装置本体）であり、本実施例ではカメラ本体１の前面上部１ａの外表面に大きな曲率がついているが、本発明はこれに限定されるものではない。２は、沈胴式のレンズ鏡筒であり、不図示の撮影レンズを保持している。３はファインダ、４はレリーズボタン、５は照明装置である。
【００１４】
なお、本実施例では、レンズ一体型のコンパクトカメラについて説明するが、照明装置５は、レンズ交換型の一眼レフカメラに内蔵又は外付けされる照明装置にも適用することができる。また、本実施例では、デジタルカメラについて説明するが、本発明は、フィルムカメラに搭載される照明装置にも適用することができる。
【００１５】
図２は照明装置５の組み立て状態の前方斜視図、図３は図２の分解斜視図、図４〜図１０は照明装置５の断面図である。
【００１６】
照明装置５は、カメラ本体１に設けられ、発光管６、反射部材７及び光学部材８を有する。
【００１７】
発光管（光源）６は、閃光等の照明光を発する円筒形状の閃光発光管又は放電発光管であり、発光管が延びる方向をＸ軸方向（第１方向）に設定している。発光管６の中心は第１方向に垂直なＹＺ平面においては後述する発光中心Ｏを形成する。
【００１８】
反射部材７は、発光管６から発せられた光束のうち前方以外の、例えば、後方（被写体側と反対方向）に放射される光束を被写体側（前方）へ反射する反射傘である。反射部材７は、発光管６の後側を覆い、発光管６とほぼ同心形状の半円筒部７ａ、半円筒部７ａの上側端部から被写体側に延びる反射部７ｂ、下側端部から被写体側に延びる反射部７ｂ’を有する。半円筒部７ａ、反射部７ｂ及び７ｂ’は内面が高反射率面で形成された光輝アルミ等の金属材料または内面に高反射率の金属蒸着面が形成された樹脂材料等で構成されている。
【００１９】
半円筒部７ａは、発光管６からの光を発光中心付近に戻すのに有効な形状であり、発光管６のガラス部の屈折による影響を受けにくくする。反射部材７の後方からの反射光を発光管６からの直接光とほぼ等価な射出光にする。反射部７ｂは、反射部７ｂ’よりも長さが短い。これは、後述するように、光学部材８の入射面８ａが傾いていて有効領域が異なるためである。
【００２０】
光学部材８は、発光管６から直接に入射した光束及び反射部材７で反射して入射した光束を集光し、被写体側へ効率良く照射する光学プリズムである。光学部材８は、例えば、アクリル樹脂等の透過率の高い光学用樹脂材料やガラス材料などの光透過部材により構成される。
【００２１】
光学部材８は、発光管６からの光束が入射する入射面８ａ、光束を射出する射出部、入射面８ａと射出部との間に位置して側面部を構成する全反射面８ｂ及び８ｂ’を備える。全反射面８ｂ及び８ｂ’は、入射面８ａから入射した光束の一部を射出部に向けて全反射する。
【００２２】
図２及び図３において、光学部材８の射出部は、光束を屈折させ、山形形状を有する複数の光屈折部８１を備えている。各光屈折部８１は稜線８２を有する。光屈折部８１は、照明装置５の左右方向（Ｘ軸方向）の配光特性を制御するプリズム部であるが、縦フレネルレンズとして構成されてもよい。光屈折部８１の表面は射出部の射出面を構成する。Ｘ軸方向において、中央の光屈折部８１は、両端の光屈折部８１よりも大きい。また、光学部材８は、照明装置５の上下方向（Ｙ軸方向）の配光特性の制御をするために、光屈折部８１の形状を以下のように設定している。
【００２３】
図４（ａ）は、光学部材８の稜線８２に沿ってＸ軸に垂直に切った（ＹＺ平面の）断面図である。図４（ｂ）は、図４（ａ）の部分拡大断面図である。
【００２４】
入射面８ａは、負の屈折力を有するシリンドリカルレンズ面で構成され、Ｚ軸方向（第２方向）に延びる照射光軸ＡＸＬに対して下側に偏心されている。入射面８ａを負の屈折力を有したシリンドリカルレンズ面で構成することで、発光中心Ｏから射出した光束のうち照射光軸ＡＸＬに対してなす角度が比較的小さい直接光を屈折によって所定角度に広げることができる。また、発光中心Ｏから射出した光束のうち照射光軸ＡＸＬに対してなす角度が比較的大きい光束は、入射面８ａに負の屈折力を持たせることによって上下により大きな角度で屈折して全反射面８ｂ及び８ｂ’に導きやすくしている。
【００２５】
なお、入射面８ａは必ずしも円筒面でなくてもよく任意の非球面形状、傾斜平面、トーリックレンズ面、あるいは、これらの形状を近似した単一もしくは複数の平面または円筒面、さらには楕円等の２次曲面を用いてもよい。近似形状により、実際加工されたものが設計値通りできているかの測定を、面形状を非球面とする場合に比べて容易に行うことができる。
【００２６】
各光屈折部８１は、図４に示すＹＺ平面において、発光中心Ｏを通って照明装置５の照射光軸ＡＸＬを含むＸＺ平面よりも上側にある階段形状を有する上部８３と、照射光軸ＡＸＬを含むＸＺ平面よりも下側に配置されて段差のない下部８７を有する。上部８３には複数の段８４が形成されており、下部８７には段８４は設けられていない。隣接する２つの段８４には段差８６がある。各段差８６は全反射面８ｂによって反射された光束を全反射しないように設定されている
Ｃは、図４に示すＹＺ平面において、カメラ本体１の前面上部１ａの外表面に対応する曲線を示している。図４に示すＹＺ平面において、各光屈折部８１の上部８３は曲線Ｃの内側にある。曲線Ｃの上には下部８７の稜線８２が配置されると共に、上部８３の各段８４の最も外側の頂点（段８４の端部）８５が配置される。これにより、照明装置５の外観形状をカメラ本体１の外表面の形状に対応させることができる。また、図４に示すＹＺ平面において、照射光軸ＡＸＬよりも上側にある曲線Ｃは、上側になればなるほど照射光軸ＡＸＬに対する垂線との傾斜角度が大きくなる。また、曲線Ｃは、後述する図７（ｂ）に示すように、全反射面８ｂからの光束の一部を全反射するほど大きい領域を含んでいる。本実施例では、図４に示すＹＺ平面において、照射光軸ＡＸＬと曲線Ｃは直交していない。射出部の射出面は正の屈折力を有する曲面で構成されている。
【００２７】
動作において、カメラにストロボオートモードが設定されている場合、レリーズボタン４の操作に基づいて、不図示の測光装置で測定された外光の明るさ及び撮像素子の感度によって、照明装置５を発光させるか否かを不図示のプロセッサが判断する。プロセッサは、照明装置５を発光させると判断すると、発光信号を出力する。これに応答して、反射部材７に取り付けられた不図示のトリガーリード線を介して発光管６を発光させる。発光管６から射出された光束のうち、被写体側と反対方向に射出された光束は反射部材７を介して、被写体側に射出した光束は直接に光学部材８に入射し、光学部材８を介して所定の配光特性に変換された後、被写体側に照射される。
【００２８】
照明装置５では、高電圧トリガー信号を反射部材７に直接与え、反射部材７に接触した発光管６のネサコート部を介して発光を開始させている。そして、本実施例のような小型の照明装置５では、反射部材７と、金属で成形された外装部材や製品外部に配置される導電性部材との距離が近くトリガーリークが起こりやすい。
【００２９】
光学部材８は、不図示の外装部材と合わせるために、長手方向に沿って延びる細いリブ８ｆ及び８ｆ′を上下に一体的に形成し、内部部材が外部から見えるのを防止すると共にトリガーリークが発生し発光ができなくなることを防止している。
【００３０】
図４〜図１０において、発光管６は、効率を向上させるために内径一杯に発光する場合が多く、発光管６の内径一杯の発光点からほぼ均一に発光していると考えてよい。しかし、説明を容易にするため、発光中心Ｏから射出された光束を代表光束とし、各図では発光中心Ｏから射出した光束のみを示している。実際の配光特性としては、代表光束に加えて発光管６の周辺部から射出した光束によって配光特性は全体として若干広がる方向に変化するが、配光特性の傾向はほぼ一致するため、以下、代表光束に従って説明する。
【００３１】
図５、図７（ａ）及び図９は照射光軸ＡＸＬよりも上側の光束の光線トレースを示しており、図６、図８及び図１０は照射光軸ＡＸＬよりも下側の光束の光線トレースを示している。
【００３２】
図５と図６は、発光中心Ｏから射出された光束のうち照射光軸ＡＸＬに対して比較的角度の小さな光束が直接に光学部材８に入射して全反射面８ｂ及び８ｂ’に当たらないで射出される場合の光線トレースを示している。入射面８ａを負の屈折力を有する曲面、射出部の射出面を正の屈折力を有する曲面で構成しているため、屈折力がお互いにキャンセルされ、発光中心Ｏから射出した光束の広がり方とほぼ同じ光束の広がり方で被写体側に照射される。射出部に入射する入射角度は比較的小さく、射出部の全反射の影響は受けにくく所望の配光特性を得ることができる。
【００３３】
図７（ａ）と図８は、発光中心Ｏから射出された光束のうち照射光軸ＡＸＬに対してやや大きな角度を持った光束が、入射面８ａから直接に入射した後、全反射面８ｂ及び８ｂ’で全反射し、射出面から射出される場合の光線トレースを示している。また、階段状の上部８３の効果を説明するために、図７（ａ）に対比される、段差８６のない上部の光線トレースを図７（ｂ）に示す。図７（ｂ）において、射出部の射出面はカメラ本体１の前面上部１ａの外表面の形状に一致した形状を有する。
【００３４】
図７（ａ）及び図７（ｂ）に示すように、全反射面８ｂで反射した光束は、射出部の最上部を通る成分であり、全反射した後に下側へ向かう。上部８３の上側は、照射光軸ＡＸＬに直交する垂線に対する傾きが最も大きな部分であるため、上部８３の上側をカメラ本体１の前面上部１ａの外表面の形状に合わせた場合には、図７（ｂ）に示すように不要な全反射が起こり易い。図７（ｂ）では、この全反射によって意図せぬ方向に光束が進み（光束Ｐ）、所望の配光特性が得られない。このように、曲線Ｃは、全反射面８ｂからの光束の一部を全反射するほど大きい領域を含んでいる。
【００３５】
そこで、本実施例は、照射光軸ＡＸＬに直交する垂線に対する傾きが小さくなるように上部８３に複数の段８４（又は複数の段差８６）を設けている。複数の段８４は曲線Ｃの内側にあるために、上部８３の入射角度が小さくなり、上部８３の射出面の全反射の影響を防止又は低減している。図７（ａ）に示すように、本実施例では、全反射面８ｂで全反射した光束は、上部８３の射出面で全反射しないので、曲線Ｃの曲率が大きくなっても配光特性を維持することができる。
【００３６】
一方、図８に示すように、光学部材８の下側の全反射面８ｂ’で全反射した光束は、射出面が本来のカメラ本体１の外表面の形状（曲線Ｃ）に追従した場合でも、下部８７の射出面に入射する入射角度は小さく全反射による影響は生じにくい。このため、本実施例では、下部８７の射出面の稜線８２をカメラ本体１の形状に合うように構成している。
【００３７】
図７及び図８に示す全反射面８ｂ及び８ｂ’で全反射した光束は、射出面の近傍で集光する。図７（ａ）に示すように、集光点が、カメラ本体１の最も傾斜角度が大きい部分に位置した場合に最も全反射の影響を受けやすい。一方、図８に示すように、カメラ本体１の最も傾斜角度が大きい部分に集光点がある場合には、全反射による影響が少ない。このため、図７（ａ）に示すように、傾斜角度の最も大きい部分の角度を補正することは、効率改善からも配光特性の改善からも有効である。
【００３８】
図９と図１０は、発光中心Ｏから射出された光束のうち反射部材７で反射された後に光学部材８に入射する反射光の光線トレースを示している。
【００３９】
図９に示すように、反射部７ｂで反射した光束は射出面の広い領域に広がる。射出面に入射する角度が小さい成分が上側を通り、入射角度が大きい成分、即ち、全反射によって光損失が起き易い成分が射出面の下側を通過する。このため、光束は、射出面で全反射しにくく、比較的効率良く照射することができる。
【００４０】
図１０に示すように、反射部７ｂ’で反射した光束は射出面の広い領域に広がる。この場合も、射出面に到達する光束の入射角度は極めて小さく全反射による光損失は極めて少ない。
【００４１】
図５及び図６に示す直接光、図７（ａ）及び図８に示す全反射光、図９及び図１０に示す反射部材７による反射光はそれぞれ対になっている。お互いを重ね合わせることによって、それぞれ必要照射角度範囲に対応した連続的で均一な配光分布となるように各部の形状を規制している。図７（ａ）に示す光束のみが射出面の急な傾斜による影響を受けやすいため、本実施例に示すような傾斜角度を緩和するような対策をとらないと、図７（ｂ）に示すように上下アンバランスな配光特性となってしまう。また、階段状の上部８３は、他の光路に与える影響が少ない。
【００４２】
なお、発光管６の照射光軸ＡＸＬの後方には半円筒部７ａが配置され、発光管６の発光管と半円筒部７ａは同心円状に形成されているため、発光中心Ｏから後方に射出した光束はすべて発光管６のガラス管による屈折の影響を受けずに発光中心Ｏに戻ることになる。発光中心Ｏに戻った後の光線の振る舞いについては、図５〜図１０に示す光線トレースとほぼ同等の特性を有する。
【００４３】
また、リブ８ｆ及び８ｆ′は、縁面距離を延ばしてトリガーリークを防止することができると共に、外部からのゴミや水滴の侵入を防止することができる。
【００４４】
更に、本実施例では、上部８３の全体に亘って複数の段差８６が設けられている。しかし、照射光軸ＡＸＬよりも上側において、全反射面８ｂからの光束の一部を全反射するほど曲線Ｃの傾斜角度が大きい領域に対応する上部８３の部分に限定的に複数の段差が形成されてもよい。
【実施例２】
【００４５】
以下、図１１〜図１３を参照して、実施例２の照明装置１５について説明する。照明装置１５は、発光管６、反射部材７及び光学部材１８を有し、照明装置５の代わりにカメラ（撮影装置）に搭載可能である。図１１は照明装置１５の組み立て状態の前方斜視図、図１２は光学部材１８の斜視図、図１３は照明装置１５の断面図である。
【００４６】
光学部材１８は、発光管６から直接に入射する光束及び反射部材７で反射して入射した光束を集光し、被写体側へ効率良く照射する光学部材（光学プリズム）である。
【００４７】
図１１及び図１２において、光学部材１８の射出部は、光束を屈折させ、山形形状を有する複数の光屈折部８１Ａを備えている。各光屈折部８１Ａは稜線８２Ａと別の光屈折部８１Ａと隣り合う谷線８８Ａを有する。実施例２は、光学部材１８の谷線８８Ａのみが実施例１と異なる。
【００４８】
光屈折部８１Ａは、照明装置１５の左右方向（Ｘ軸方向）の配光特性を制御するプリズム部であるが、フレネルレンズ部として構成されてもよい。光屈折部８１Ａの表面は射出部の射出面を構成する。Ｘ軸方向において、中央の光屈折部８１Ａは、両端の光屈折部８１Ａよりも大きい。また、光学部材１８は、照明装置１５の上下方向（Ｙ軸方向）の配光特性の制御をするために、光屈折部８１Ａの形状を以下のように設定している。
【００４９】
図１３は、光学部材１８の谷線８８Ａに沿ってＸ軸に垂直に切った（ＹＺ平面の）断面図である。射出側において、２点鎖線は稜線８２Ａを示しており、実線は谷線８８Ａを示している。
【００５０】
各光屈折部８１Ａの稜線８２Ａは、図１３に示すＹＺ平面において、撮影装置本体１の前面上部１ａの外表面に対応する（曲線Ｃと同様の）曲線形状を有する。この曲線形状は上側になればなるほど照射光軸ＡＸＬに対する垂線との傾斜角度が大きくなる。
【００５１】
谷線８８Ａは、その傾斜角度が徐々に変化している点が実施例１と異なる。具体的には、照射光軸ＡＸＬに垂直な垂線と谷線８８Ａとの角度が比較的小さい下部８７Ａでは、谷線８８Ａの傾斜角度は本来の大きな角度で加工されている。しかし、照射光軸ＡＸＬに垂直な垂線と谷線８８Ａとの角度が大きい上部８３Ａでは、谷線８８Ａの傾斜角度が上側に向かうにつれて徐々に小さくなるように加工されており、不要な全反射を防止している。
【００５２】
この結果、各光屈折部８１Ａの谷線８８Ａと稜線８２ＡとのＹ軸方向における距離は、図１３に示すＹＺ平面において、（照射光軸ＡＸＬよりも上側にある上部８３Ａでは特に）上側になればなるほど小さくなるように構成されている。また、各光屈折部８１Ａの谷線８８Ａと稜線８２ＡとのＹ軸方向における最小距離は全反射面８ｂによって反射された光束を全反射しないように設定されており、これによって、図７（ａ）と同様の効果を得ることができる。
【００５３】
実施例２では、照射光軸ＡＸＬに直交する垂線に対する射出面の傾きが上側に向かうにつれてプリズム部の谷線の傾斜角度を徐々に少なくなるように変化させている。しかし、本発明は、必ずしも実施例２の構成に限定されず、カメラ本体１の前面上部１ａの外表面の傾斜角度が全反射面８ｂからの光束の一部を全反射するほど大きい領域に対応する上部８３Ａの部分において限定的に谷線８８Ａの角度は弱めればよい。
【産業上の利用可能性】
【００５４】
撮影装置は、被写体の撮像に適用することができる。
【符号の説明】
【００５５】
１            カメラ本体
５、１５      照明装置
８、１８      光学部材
８１、８１Ａ  光屈折部
８２、８２Ａ  稜線
８３          上部
８４          段
８５          頂点
８６          段差
８８Ａ        谷線
【図１】
2011033817.tif 000003
【図２】
2011033817.tif 000004
【図３】
2011033817.tif 000005
【図４】
2011033817.tif 000006
【図５】
2011033817.tif 000007
【図６】
2011033817.tif 000008
【図７】
2011033817.tif 000009
【図８】
2011033817.tif 000010
【図９】
2011033817.tif 000011
【図１０】
2011033817.tif 000012
【図１１】
2011033817.tif 000013
【図１２】
2011033817.tif 000014
【図１３】
2011033817.tif 000015